(57)【要約】【課題】  ブラシモータの磨耗によってブラシモータの寿命が短くなるという位相制御を利用せずに、第１ノズル又は第２ノズルから吹き出される空気の風量調整を行い、ブラシモータの寿命を長くすることができる手乾燥装置を提供することにある。【解決手段】  使用者の手に空気を吹きつけて乾燥させる手乾燥装置において、手乾燥室の第１ノズルに送風する第１送風機を駆動させる第１ブラシモータと、手乾燥室の第２ノズルに送風する第２送風機を駆動させる第２ブラシモータと、手乾燥室に挿入された使用者の手を検出するセンサと、センサが使用者の手を検出した検出情報に基づき第１ブラシモータ及び第２ブラシモータの駆動を制御する制御部と、を備え、制御部は、第１ブラシモータ及び第２ブラシモータの駆動中において、第１ブラシモータ又は第２ブラシモータの一方に抵抗部を介して電力供給を行うことを特徴とする手乾燥装置。【選択図】図３
2014113259.tif 000002
【特許請求の範囲】
【請求項１】
使用者の手に空気を吹きつけて乾燥させる手乾燥装置において、
前記使用者の手を挿入する手乾燥室を有するハウジングと、
前記手乾燥室の前側の壁面から空気を吹き出す第１ノズルと、
前記手乾燥室の後側の壁面から空気を吹き出す第２ノズルと、
前記手乾燥室の第１ノズルに送風する第１送風機を駆動させる第１ブラシモータと、
前記手乾燥室の第２ノズルに送風する第２送風機を駆動させる第２ブラシモータと、
前記手乾燥室に挿入された前記使用者の手を検出するセンサと、
前記センサが前記使用者の手を検出した検出情報に基づき前記第１ブラシモータ及び前記第２ブラシモータの駆動を制御する制御部と、を備え、
前記制御部は、前記第１ブラシモータ及び前記第２ブラシモータの駆動中において、前記第１ブラシモータ又は前記第２ブラシモータの一方に抵抗部を介して電力供給を行うことを特徴とする手乾燥装置。
【請求項２】
前記抵抗部は、前記第１送風機からの空気を前記第１ノズルに送風する第１風路又は前記第２送風機からの空気を前記第２ノズルに送風する第２風路に設けられ、前記送風機からの空気に熱を供給するヒーターであることを特徴とする請求項１に記載の手乾燥装置。
【請求項３】
前記制御部は、前記第１風路に設けられた前記第１ヒーター又は前記第２風路に設けられた前記第２ヒーターのいずれか一方に電力供給するように選択する選択手段を備えることを特徴とする請求項２に記載の手乾燥装置。
【請求項４】
前記制御部は、前記第１ノズル又は前記第２ノズルから吹き出される空気の温度を変更するために、前記ヒーターの出力を変更する変更手段を備えることを特徴とする請求項２又は請求項３に記載の手乾燥装置。
【発明の詳細な説明】
【技術分野】
【０００１】
本発明は、使用者の手に空気を吹き付けて乾燥させる手乾燥装置に関する。
【背景技術】
【０００２】
近年、特に公共のトイレ等においては、手洗い後に手に付着している水を拭き取るためのペーパータオルを削減する傾向が強まっており、ペーパータオルの代わりに手乾燥装置を設置する場合が増えている。このような手乾燥装置は、洗面ボウルが配置されている場所からは少し離れた洗面カウンター上の壁面や、洗面カウンターから離れたトイレ空間の壁面等に設置されている場合が多い（特許文献１参照）。
【０００３】
特許文献１において提案されている手乾燥装置では、手をハウジングの上方から開口凹部内へ挿入し、開口凹部の掌側壁面及び甲側壁面にそれぞれ設けられたセンサが手を検知すると、両壁面それぞれにほぼ水平方向直線状に設けられた複数の掌側用のノズル及び甲側用のノズルから、手の掌側及び甲側にそれぞれ温風が吹き付けられ、手に付着していた水滴を飛ばしながら下方へ流れるようになっている。
【０００４】
また、複数の掌側用のノズル及び甲側用のノズルそれぞれに温風を供給するために、掌側用のファンモータユニット及び甲側用のファンモータユニットが手乾燥装置本体内に設けている。掌側用のファンモータユニット及び甲側用のファンモータユニットとも同一の最大出力を有する同一形態のものであり、両者とも駆動回転数を所望に変えることができるようになっている。
【０００５】
手の掌側及び甲側にそれぞれ温風が吹き付けられる際、手の甲側よりも掌側が乾燥し難いことから、掌側により多くの風が当たるように、掌側に供給する風量を可能な限り多くすることが好ましく、手乾燥装置の使用時には、掌側用の駆動回転数が甲側用の駆動回転数よりも高速に回転するように各ファンモータユニット設定し、掌側に供給する風量が手の甲側に供給する風量に比べて大きく設定されている。
【先行技術文献】
【特許文献】
【０００６】
【特許文献１】特開２０１０−２２７３２０号公報
【発明の概要】
【発明が解決しようとする課題】
【０００７】
特許文献１の手乾燥装置では、掌側用のノズル及び甲側用のノズルからの風速調整は、掌側用のブラシモータ又は甲側用のブラシモータのいずれか一方の印加電圧を基準とし、他方のブラシモータに対して電圧の通電角を変える位相制御を行うことで他方のブラシモータの出力を下げて風速を弱めるようにしていた。しかしながら、位相制御を行った時の特有の現象として、ブラシモータ駆動時にブラシモータのブラシと整流子間にスパイク電圧が発生し、ブラシの磨耗が生じてブラシモータの寿命が低減するという課題があった。
【０００８】
本発明はこのような課題に鑑みてなされたものであり、その目的は、ブラシモータの磨耗によってブラシモータの寿命が短くなるという位相制御を利用せずに、第１ノズル又は第２ノズルから吹き出される空気の風量調整を行い、ブラシモータの寿命を長くすることができる手乾燥装置を提供することにある。
【課題を解決するための手段】
【０００９】
上記課題を解決するために本発明に係る手乾燥装置は、使用者の手に空気を吹きつけて乾燥させる手乾燥装置において、前記使用者の手を挿入する手乾燥室を有するハウジングと、前記手乾燥室の前側の壁面から空気を吹き出す第１ノズルと、前記手乾燥室の後側の壁面から空気を吹き出す第２ノズルと、前記手乾燥室の第１ノズルに送風する第１送風機を駆動させる第１ブラシモータと、前記手乾燥室の第２ノズルに送風する第２送風機を駆動させる第２ブラシモータと、前記手乾燥室に挿入された前記使用者の手を検出するセンサと、前記センサが前記使用者の手を検出した検出情報に基づき前記第１ブラシモータ及び前記第２ブラシモータの駆動を制御する制御部と、を備え、前記制御部は、前記第１ブラシモータ及び前記第２ブラシモータの駆動中において、前記第１ブラシモータ又は前記第２ブラシモータの一方に抵抗部を介して電力供給を行うことを特徴とする。
【００１０】
本発明によれば、第１ブラシモータ又は第２ブラシモータの一方に抵抗部を介する簡単な構成により、第１ノズル又は第２ノズルから吹き出される空気の風量調整を行うため、ブラシモータの磨耗によってブラシモータの寿命が短くなるという位相制御を利用する必要がなくなり、ブラシモータの寿命を長くすることができる。
【００１１】
また本発明に係る手乾燥装置では、前記抵抗部は、前記第１送風機からの空気を前記第１ノズルに送風する第１風路又は前記第２送風機からの空気を前記第２ノズルに送風する第２風路に設けられ、前記送風機からの空気に熱を供給するヒーターであることも好ましい。
【００１２】
この好ましい態様では、抵抗部が送風機からの空気に熱を供給するヒーターであるため、抵抗部で失われる電気エネルギーを送風機からの空気に与えられる熱エネルギーとなり、送風機からの空気を効率的に暖めることができる。
【００１３】
また本発明に係る手乾燥装置では、前記制御部は、前記第１風路に設けられた前記第１ヒーター又は前記第２風路に設けられた前記第２ヒーターのいずれか一方に電力供給するように選択する選択手段を備えることも好ましい。
【００１４】
この好ましい態様では、制御部が第１ヒーター又は第２ヒーターのいずれか一方に電力供給するように選択する選択手段を備えるため、例えば、第１ノズルから吹き出される空気の温度だけを高く設定したい場合、選択手段が第１ヒーターだけ電力供給するように電力供給を選択すれば、ヒーター全体の電力供給を減らすことにより節電に繋げることができる。
【００１５】
また本発明に係る手乾燥装置では、前記制御部は、前記第１ノズル又は前記第２ノズルから吹き出される空気の温度を変更するために、前記ヒーターの出力を変更する変更手段を備えることも好ましい。
【００１６】
この好ましい態様では、制御部がヒーターの出力を変更する変更手段を備えるため、ノズルから吹き出される空気の温度を使用者の使用状況に応じて変更できるようになり、使用者が節電をより行いやすくなる。
【発明の効果】
【００１７】
本発明によれば、ブラシモータの磨耗によってブラシモータの寿命が短くなるという位相制御を利用せずに、第１ノズル又は第２ノズルから吹き出される空気の風量調整を行い、ブラシモータの寿命を長くすることができる。
【図面の簡単な説明】
【００１８】
【図１】本発明の実施形態である手乾燥装置の外観を示す斜視図である。
【図２】図１に示す手乾燥装置の縦断面図である。
【図３】図１に示す手乾燥装置の横断面図である。
【図４】図１に示す手乾燥装置の内部を示す斜視図である。
【図５】図１に示す手乾燥装置の制御的な構成を示すブロック構成図である。
【図６】図１に示す手乾燥装置の制御回路図ある。
【図７】図１に示す手乾燥装置の動作の一例を示すフローチャートである。
【発明を実施するための形態】
【００１９】
以下、添付図面を参照しながら本発明の実施の形態について説明する。説明の理解を容易にするため、各図面において同一の構成要素に対しては可能な限り同一の符号を付して、重複する説明は省略する。
【００２０】
図１は、本実施形態の手乾燥装置１の全体を示す斜視図である。図２〜４は、本実施形態の手乾燥装置１の縦断面図、横断面図、内部を示す斜視図をそれぞれ示す図面である。手乾燥装置１は、ハウジング２及び水受けトレー１９を備えている。ハウジング２は、手前側部材２ａ（正面側部材）と、壁面側部材２ｂ（背面側部材）と、側面部材２ｃと、側面部材２ｄとによって構成されている。ハウジング２には手乾燥部としての開口凹部４が形成され、その開口凹部４の下方には送風機が内蔵されている。開口凹部４は上方に開口しており、使用者が手を差し入れるための開口部４ｕが形成されている。
【００２１】
この開口凹部４は、そこに手を配置して風を当てて乾燥させる部分（手乾燥部）である。通常、掌をハウジング２の手前側部材２ａ側に向け、手の甲をハウジング２の壁面側部材２ｂ側に向けた姿勢で、手をハウジング２の上方から開口凹部（手乾燥部）４内へ挿入するようになっている。
【００２２】
本実施形態の手乾燥装置１では、手をハウジング２の上方から開口凹部４内へ挿入し、開口凹部４の掌側壁面４ａ及び甲側壁面４ｂにそれぞれ設けられたセンサ（投光部、受光部）３ａ，３ｂが手を検知すると、両壁面４ａ，４ｂのそれぞれにほぼ水平方向直線状に設けられた複数の掌側用のノズル６ａ及び甲側用のノズル６ｂから、手の掌側及び甲側にそれぞれ温風が吹き付けられ、手に付着していた水滴を飛ばしながら下方へ流れるようになっている。
【００２３】
従来の手乾燥装置では、手の掌側及び甲側にそれぞれ温風が吹き付けられる際、手の甲側よりも掌側が乾燥し難いことから、掌側により多くの風が当たるように、掌側に供給する風量を可能な限り多くすることが好ましく、手乾燥装置の使用時には、掌側用の駆動回転数が甲側用の駆動回転数よりも高速に回転するように各ファンモータユニットを設定し、掌側に供給する風量が手の甲側に供給する風量に比べて大きく設定されている。
【００２４】
従来の手乾燥装置では、掌側用のノズル及び甲側用のノズルからの風速調整は、掌側用のブラシモータ又は甲側用のブラシモータのいずれか一方の印加電圧を基準とし、他方のブラシモータに対して電圧の通電角を変える位相制御を行うことで他方のブラシモータの出力を下げて風速を弱めるようにしていた。しかしながら、位相制御を行った時の特有の現象として、ブラシモータ駆動時にブラシモータのブラシと整流子間にスパイク電圧が発生し、ブラシの磨耗が生じてブラシモータ寿命が低減するという課題があった。
【００２５】
そこで、本実施形態の手乾燥装置１では、使用者の手を挿入する手乾燥室４とハウジング２と、手乾燥室４の側面から空気を吹き出す第１ノズル６ａと、手乾燥室４の別の側面から空気を吹き出す第２ノズル６ｂと、第１ノズル６ａに送風する第１送風機８ａ’を駆動させる第１ブラシモータ８ａと、第２ノズル６ｂに送風する第２送風機８ｂ’を駆動させる第２ブラシモータ８ｂと、手乾燥室に挿入された使用者の手を検出するセンサ３ａ／３ｂと、第１ブラシモータ８ａ及び第２ブラシモータ８ｂの駆動を制御する制御部２１と、を備えている。
【００２６】
更に、本実施形態の手乾燥装置１では、制御部２１は、使用者の手をセンサ３ａ／３ｂが検出後、第１ブラシモータ８ａ及び第２ブラシモータ８ｂに電源からの電力を供給して駆動させ、第１ブラシモータ８ａ及び第２ブラシモータ８ｂの駆動中において、図５、図６に示すように、第１ブラシモータ８ａ又は第２ブラシモータ８ｂの一方に抵抗部２０を介して電力供給を行い、第１ブラシモータ８ａ又は第２ブラシモータ８ｂの一方の出力を下げることにより第１ノズル６ａ、第２ノズル６ｂの風量調整を行うことができる。
【００２７】
本実施形態の手乾燥装置１によれば、第１ブラシモータ８ａ又は第２ブラシモータ８ｂの一方に抵抗部２０を介する簡単な構成により、第１ノズル６ａ又は第２ノズル６ｂから吹き出される空気の風量調整を行うため、ブラシモータの磨耗によってブラシモータ８の寿命が短くなるという位相制御を利用する必要がなくなり、従来の手乾燥装置のブラシモータに比べてブラシモータ８の寿命を長くすることができる。
【００２８】
また、上記の抵抗部２０は、第１ノズル６ａと第１ブラシモータ８ａの間の風路に設けられた熱を供給する第１フィンヒータ１８ａ、又は第２ノズル６ｂと第２ブラシモータ８ｂの間の風路に設けられた熱を供給する第２フィンヒータ１８ｂであっても良い。また、抵抗部２０は、図６に示すように、フィンヒータ１８と別に設けて、フィンヒータ１８から熱を供給する場合、又はフィンヒータ１８から熱を供給しない場合に切替えることができる構成であっても良い。
【００２９】
また、本実施形態の手乾燥装置１では、制御部２１が第１風路に設けられた第１フィンヒータ１８ａ又は第２風路に設けられた第２フィンヒータ１８ｂのいずれか一方に電力供給するように選択する選択手段２２を備えていることが望ましい。例えば、第１ノズル６ａから吹き出される空気の温度だけを高く設定したい場合には、操作部２４の情報に基づき選択手段２２が第１フィンヒータ１８ａだけ電力供給するように電力供給を選択すれば、フィンヒータ１８全体の電力供給を減らすことにより節電に繋げることができる。
【００３０】
また、本実施形態の手乾燥装置１では、制御部２１が第１ノズル６ａ又は第２ノズル６ｂから吹き出される空気の温度を変更するためにヒーターの出力を変更する変更手段２３を備えていることが望ましい。ノズル６から吹き出される空気の温度を使用者の使用状況に応じて変更できるようになり、フィンヒータ１８の電力供給を減らすことにより節電に繋げることができる。
【００３１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００３２】
１：手乾燥装置
２：ハウジング
２ａ：手前側部材
２ｂ：壁面側部材
２ｃ，２ｄ：側面部材
３ａ，３ｂ：センサ
４：開口凹部
４ａ：壁面
４ｂ：壁面
４ｕ：開口部
６ａ：第１ノズル
６ｂ：第２ノズル
８ａ：第１ブラシモータ
８ａ’：第１送風機
８ｂ：第２ブラシモータ
８ｂ’：第２送風機
１８ａ：第１フィンヒータ
１８ｂ：第２フィンヒータ
１９：水受けトレー
２０ａ：第１抵抗部
２０ｂ：第２抵抗部
２１：制御部
２２：選択手段
２３：変更手段
２４：操作部
【図１】
2014113259.tif 000003
【図２】
2014113259.tif 000004
【図３】
2014113259.tif 000005
【図４】
2014113259.tif 000006
【図５】
2014113259.tif 000007
【図６】
2014113259.tif 000008
【図７】
2014113259.tif 000009